(57)【特許請求の範囲】
【請求項１】
乾燥炉の炉内を加熱する加熱手段と、
この加熱手段による炉内加熱に併行して炉内換気用の外気を前記乾燥炉に供給する炉内換気用の給気手段と、
この給気手段による外気供給に併行して前記乾燥炉の炉内における高温高湿空気を外部に排出する炉内換気用の排気手段とを備える乾燥炉設備であって、
吸湿剤を保持する通気性の除湿ロータを処理域と再生域とに跨らせた状態で回転させてロータ各部を前記処理域と前記再生域とに交互に繰り返して位置させるロータ式の除湿装置を設け、
前記排気手段は、前記乾燥炉の炉内における高温高湿空気を再生用空気として前記再生域に通過させて外部に排出する構成にし、
前記再生域を通過した高温高湿空気の一部又は全部を前記給気手段による外部からの導入外気に混合して加湿及び予熱した状態の混合外気を生成する混合手段を設け、
この混合手段により混合する導入外気と高温高湿空気との混合比を調整する混合比調整手段を設け、
前記給気手段は、炉内換気用の外気として、前記混合手段により生成した混合外気を前記処理域に通過させて除湿した状態で前記乾燥炉に供給する構成にし、
前記混合比調整手段を操作する制御手段を設けるとともに、前記処理域に通過させて除湿した混合外気の湿度を検出する湿度センサを設け、
前記制御手段は、給気湿度制御として、前記湿度センサによる検出湿度に基づき前記混合比調整手段により前記混合比を調整することで前記処理域に通過させて除湿した混合外気の湿度を設定給気湿度に調整する構成にし、
前記処理域に通過させて除湿した混合外気の温度を検出する温度センサを設け、
前記制御手段は、切り換え指令に応じて前記給気湿度制御と給気温度制御とを選択的に実行する構成にするとともに、
この給気温度制御では、前記温度センサによる検出温度に基づき前記混合比調整手段により前記混合比を調整することで前記処理域に通過させて除湿した混合外気の温度を設定給気温度に調整する構成にしてある乾燥炉設備。
【請求項２】
前記排気手段により前記乾燥炉から排出する高温高湿空気の一部又は全部を前記再生域に対して迂回させるバイパス路を設けるとともに、
このバイパス路に通過させる高温高湿空気と前記再生域に通過させる高温高湿空気との分流比を調整する分流比調整手段を設け、
前記制御手段は、前記給気温度制御の際、前記温度センサによる検出温度に基づき前記混合比調整手段及び前記分流比調整手段により前記混合比及び前記分流比を調整することで前記処理域に通過させて除湿した混合外気の温度を設定給気温度に調整する構成にしてある請求項１記載の乾燥炉設備。
【請求項３】
前記混合手段により生成した混合外気を前記処理域に対して迂回させる給気側バイパス路を設けるとともに、
この給気側バイパス路に通過させる混合外気と前記処理域に通過させる混合外気との分流比である給気側の分流比を調整する手段を設けてある請求項１又は２記載の乾燥炉設備。
【発明の詳細な説明】
【技術分野】
【０００１】
本発明は、例えばリチウムイオン電池の電極製造工程における電極シートの乾燥処理などに用いる乾燥炉設備に関し、
詳しくは、乾燥炉の炉内を加熱する加熱手段と、この加熱手段による炉内加熱に併行して炉内換気用の外気を乾燥炉に供給する炉内換気用の給気手段と、この給気手段による外気供給に併行して乾燥炉の炉内における高温高湿空気を外部に排出する炉内換気用の排気手段とを備える乾燥炉設備に関する。
【背景技術】
【０００２】
図４は、従来の乾燥炉設備の一例を示し、１は電極シートなどの処理物Ｗを乾燥処理する乾燥炉であり、この乾燥炉１には炉内空気ＲＡを循環させる複数ないし単数の循環路２を設け、この循環路２には、循環ファン３及びヒータ４を介装してあり、このヒータ４は炉内を加熱する加熱手段を構成する。
【０００３】
循環路２には給気路５を接続してあり、この給気路５及びそれに介装したフィルタ６を通じて給気ファン７により外部からの導入外気ＯＡを炉内換気用の外気として乾燥炉１に供給する。また、乾燥炉１には排気路８を接続してあり、この排気路８を通じて排気ファン９により炉内における高温高湿空気ＲＡ（即ち、処理物Ｗからの蒸発水分を含んだ炉内の高温空気）を外部に排出する。
【０００４】
即ち、給気路５及び給気ファン７は炉内換気用の給気手段を構成し、また、排気路８及び排気ファン９は炉内換気用の排気手段を構成し、これら給気手段及び排気手段による炉内換気により、ヒータ４による炉内加熱下において処理物Ｗから蒸発する水分を炉外に排出して炉内雰囲気を処理物Ｗの乾燥に適した状態に保つ。
【先行技術文献】
【特許文献】
【０００５】
（適当な特許文献が見当たらない）
【非特許文献】
【０００６】
（適当な非特許文献が見当たらない）
【発明の概要】
【発明が解決しようとする課題】
【０００７】
しかし、上記の従来設備（図４参照）では、外部からの導入外気ＯＡを調整することなくそのまま炉内換気用の外気として乾燥炉１に供給するため、季節変化や天候変化などによる外気ＯＡの状態変化に伴い乾燥炉１の炉内状態（特に絶対湿度）が変化し、この為、処理物の乾燥品質が不安定になる問題があった。
【０００８】
また、外気ＯＡの状態変化にかかわらず炉内を処理物の乾燥に適した状態に保つのに要する炉内換気用給排気風量及び炉内加熱量が大きく、この為、消費エネルギが大きくて設備の運転コストが嵩む問題もあった。
【０００９】
この実情に鑑み、本発明の主たる課題は、乾燥炉に供給する外気を合理的に調整することで上記問題を効果的に解消する点にある。
【課題を解決するための手段】
【００１０】
本発明の第１特徴構成は乾燥炉設備に係り、その特徴は、
乾燥炉の炉内を加熱する加熱手段と、
この加熱手段による炉内加熱に併行して炉内換気用の外気を前記乾燥炉に供給する炉内換気用の給気手段と、
この給気手段による外気供給に併行して前記乾燥炉の炉内における高温高湿空気を外部に排出する炉内換気用の排気手段とを備える乾燥炉設備であって、
吸湿剤を保持する通気性の除湿ロータを処理域と再生域とに跨らせた状態で回転させてロータ各部を前記処理域と前記再生域とに交互に繰り返して位置させるロータ式の除湿装置を設け、
前記排気手段は、前記乾燥炉の炉内における高温高湿空気を再生用空気として前記再生域に通過させて外部に排出する構成にし、
前記再生域を通過した高温高湿空気の一部又は全部を前記給気手段による外部からの導入外気に混合して加湿及び予熱した状態の混合外気を生成する混合手段を設け、
この混合手段により混合する導入外気と高温高湿空気との混合比を調整する混合比調整手段を設け、
前記給気手段は、炉内換気用の外気として、前記混合手段により生成した混合外気を前記処理域に通過させて除湿した状態で前記乾燥炉に供給する構成にし、
前記混合比調整手段を操作する制御手段を設けるとともに、前記処理域に通過させて除湿した混合外気の湿度を検出する湿度センサを設け、
前記制御手段は、給気湿度制御として、前記湿度センサによる検出湿度に基づき前記混合比調整手段により前記混合比を調整することで前記処理域に通過させて除湿した混合外気の湿度を設定給気湿度に調整する構成にし、
前記処理域に通過させて除湿した混合外気の温度を検出する温度センサを設け、
前記制御手段は、切り換え指令に応じて前記給気湿度制御と給気温度制御とを選択的に実行する構成にするとともに、
この給気温度制御では、前記温度センサによる検出温度に基づき前記混合比調整手段により前記混合比を調整することで前記処理域に通過させて除湿した混合外気の温度を設定給気温度に調整する構成にしてある点にある。
【００１１】
この第１特徴構成によれば、ロータ式除湿装置の再生域を通過した高温高湿空気の一部又は全部を外部からの導入外気に対して混合することで、加湿及び予熱した状態の混合外気（要は導入外気と高温高湿空気とを混合した混合空気）を生成することができ、また、この混合において外部からの導入外気と高温高湿空気との混合比を混合比調整手段により調整することで、上記混合による加湿及び予熱での混合外気の加湿度及び予熱度を調整することができる。
【００１２】
そして、この混合に続き、加湿及び予熱した状態の混合外気をロータ式除湿装置の処理域に通過させて、処理域に位置する除湿ロータ部分に通過させることで、除湿ロータの回転による付随的な熱交換機能により混合外気をある程度まで追加予熱しながら、その混合外気を除湿して混合外気の湿度を低下させることができ、最終的に乾燥炉には炉内換気用の外気として、上記混合により加湿及び予熱を施し、これに続いて処理域通過により除湿及び追加予熱を施した混合外気を供給することができる。
【００１３】
また、これに併行して、排気手段により乾燥炉から排出する高温高湿空気をロータ式除湿装置の再生域に通過させて、再生域に位置する除湿ロータ部分に通過させることで、先の処理域での混合外気の除湿により水分捕集した状態になって再生域に移行した除湿ロータ部分を高温高湿空気により再生することができ、これにより、除湿ロータの回転に伴い処理域において混合外気を連続的に除湿することができる。
【００１４】
従って、冬期などで外気が低温低湿のときには、上記混合において外気風量を減少させる側（換言すれば、高温高湿空気の混合風量を増大させる側）に上記混合比を調整することで、処理域での混合外気からの除湿量に対し相対的に上記混合による加湿での混合外気の加湿度を増大させて、乾燥炉に供給する混合外気の湿度（特に絶対湿度）を導入外気に比べ高めることができる。
【００１５】
一方、夏期などで外気が高温高湿のときには、上記混合において外気風量を増大させる側（換言すれば、高温高湿空気の混合風量を減少させる側）に混合比を調整することで、処理域での混合外気からの除湿量に対し相対的に上記混合による加湿での混合外気の加湿度を低下させて、乾燥炉に供給する混合外気の湿度（特に絶対湿度）を導入外気に比べ低くすることができる。
【００１６】
即ち、外気の湿度変化に応じて上記混合比を混合比調整手段により調整することで、外気の湿度変化にかかわらず湿度を優先的に安定化ないし一定化した低湿混合外気を炉内換気用の外気として乾燥炉に供給することができ、これにより、外部からの導入外気をそのまま炉内換気用の外気として乾燥炉に供給する先述の従来設備に比べ、乾燥炉において処理物を一層効率的に乾燥処理することができ、また、外気の状態変化にかかわらず処理物の乾燥品質を高く安定的に保つことができる。
【００１７】
しかも、このように処理物を効率的に乾燥処理し得ることで、炉内換気用の給排気風量も効果的に低減することができ、また、上記混合により予熱し、さらに処理域通過に伴い除湿ロータの付随的な熱交換機能により追加予熱した混合外気を乾燥炉に供給するから、炉内を加熱する加熱手段に要求される加熱量も効果的に低減することができ、そしてまた、乾燥炉から排出する高温高湿空気を利用して除湿ロータを再生することとも相俟って、設備全体としての消費エネルギも効果的に低減することができ、設備の運転コストも安価にすることができる。
【００１８】
なお、上記構成によれば、外気の温度変化に応じ上記混合比を混合比調整手段により調整して上記混合による予熱での混合外気の予熱度を調整することで、外気の温度変化にかかわらず温度を優先的に安定化ないし一定化した低湿混合外気を乾燥炉に供給することもできる。
【００１９】
即ち、前記の如く湿度を優先的に安定化ないし一定化した低湿混合外気を乾燥炉に供給する運転と、温度を優先的に安定化ないし一定化した低湿混合外気を乾燥炉に供給する運転とを必要に応じて選択的に実施することができ、この点でも機能面で一層優れた乾燥炉設備にすることができる。
【００２０】
また、上記第１特徴構成では、  前記混合比調整手段を操作する制御手段を設けるとともに、前記処理域に通過させて除湿した混合外気の湿度を検出する湿度センサを設け、前記制御手段は、給気湿度制御として、前記湿度センサによる検出湿度に基づき前記混合比調整手段により前記混合比を調整することで前記処理域に通過させて除湿した混合外気の湿度を設定給気湿度に調整する構成にするから、次の作用効果も得ることができる。
【００２１】
この構成によれば、前述の如く外気の湿度変化にかかわらず湿度を一定化した低湿混合外気を乾燥炉に供給する運転を、制御手段による上記給気湿度制御の実行により自動的に実施することができる。
【００２２】
さらに、上記第１特徴構成では、前記処理域に通過させて除湿した混合外気の温度を検出する温度センサを設け、前記制御手段は、切り換え指令に応じて前記給気湿度制御と給気温度制御とを選択的に実行する構成にするとともに、この給気温度制御では、前記温度センサによる検出温度に基づき前記混合比調整手段により前記混合比を調整することで前記処理域に通過させて除湿した混合外気の温度を設定給気温度に調整する構成にするから、次の作用効果も得ることができる。
【００２３】
この構成によれば、前述の如く外気の温度変化にかかわらず温度を一定化した低湿混合外気を乾燥炉に供給する運転を、制御手段に対する切り換え指令の付与と制御手段による上記給気温度制御の実行とにより自動的に実施することができる。
【００２４】
本発明の第２特徴構成は、第１特徴構成の実施に好適な実施形態を特定するものであり、その特徴は、
前記排気手段により前記乾燥炉から排出する高温高湿空気の一部又は全部を前記再生域に対して迂回させるバイパス路を設けるとともに、
このバイパス路に通過させる高温高湿空気と前記再生域に通過させる高温高湿空気との分流比を調整する分流比調整手段を設け、
前記制御手段は、前記給気温度制御の際、前記温度センサによる検出温度に基づき前記混合比調整手段及び前記分流比調整手段により前記混合比及び前記分流比を調整することで前記処理域に通過させて除湿した混合外気の温度を設定給気温度に調整する構成にしてある点にある。
【００２５】
この構成によれば、前記混合による予熱での混合外気の予熱度を混合比調整手段による混合比調整で調整することに加えて、上記分流比を分流比調整手段により調整することで、処理域通過に伴う除湿ロータの回転による付随的な熱交換機能による混合外気の追加予熱の予熱量も調整することができる。
【００２６】
従って、外気の温度変化にかかわらず温度を一定化した低湿混合外気を乾燥炉に供給する運転の実施において、対応し得る外気の温度変動幅を大きくすることができる。
本発明の第３特徴構成は、第１又は第２特徴構成の実施に好適な実施形態を特定するものであり、その特徴は、
前記混合手段により生成した混合外気を前記処理域に対して迂回させる給気側バイパス路を設けるとともに、
この給気側バイパス路に通過させる混合外気と前記処理域に通過させる混合外気との分流比である給気側の分流比を調整する手段を設けてある点にある。
この第３特徴構成によれば、外気の状態変化に応じて前記混合比や前記分流比を調整することに加えて、この給気側の分流比も外気の状態変化に応じて調整することができる。
【図面の簡単な説明】
【００２７】
【図１】実施形態を示す乾燥炉設備の構成図
【図２】給気湿度制御を説明するグラフ
【図３】給気温度制御を説明するグラフ
【図４】従来の乾燥炉設備の構成図
【発明を実施するための形態】
【００２８】
図１は乾燥炉設備を示し、１はリチウムイオン電池の電極製造工程における電極シートの乾燥処理などに用いる乾燥炉であり、この乾燥炉１には炉内空気ＲＡを循環させる複数の循環路２を設け、これら循環路２には夫々、循環ファン３及び炉内加熱手段としてのヒータ４を介装してある。
【００２９】
つまり、炉内空気ＲＡを循環ファン３により循環路２において循環させ、その循環空気ＲＡをヒータ４により加熱することで、乾燥炉１の炉内を均一な状態で所定の高温度に保ち、これにより、炉内の処理物Ｗから水分を蒸発させて処理物Ｗを乾燥処理する。
【００３０】
各循環路２には分岐給気路５ａを介して給気路５を接続してあり、これら分岐給気路５ａ及び給気路５を通じて給気ファン７により炉内換気用の外気ＯＡ′を乾燥炉１に供給する。なお、給気路５にはフィルタ６を介装してある。
【００３１】
また、乾燥炉１には分岐排気路８ａを介して排気路８を接続してあり、これら分岐排気路８ａ及び排気路８を通じて排気ファン９により炉内における高温高湿空気ＲＡ（即ち、処理物Ｗからの蒸発水分を含んだ高温空気）を外部に排出する。
【００３２】
即ち、分岐給気路５ａ、給気路５、給気ファン７は炉内換気用の給気手段を構成し、また、分岐排気路８ａ、排気路８、排気ファン９は炉内換気用の排気手段を構成し、これら給気手段及び排気手段による炉内換気により、処理物Ｗからの水分蒸発に対して炉内雰囲気を処理物Ｗの乾燥に適した状態に保つ。
【００３３】
給気路５は、乾燥炉１に供給する炉内換気用の外気ＯＡ′を除湿対象空気としてロータ式除湿装置１０の処理域１１に通過させる風路にしてあり、一方、排気路８は、乾燥炉１から排出した高温高湿空気ＲＡを再生用空気としてロータ式除湿装置１０の再生域１２に通過させる風路にしてある。
【００３４】
ロータ式除湿装置１０は、吸湿剤を保持する通気性の除湿ロータ１３を処理域１１と再生域１２とに跨らせた状態で回転させて、ロータ各部を処理域１１と再生域１２とに交互に繰り返して位置させる装置構成のものである。
【００３５】
つまり、処理域１１では、炉内換気用の外気ＯＡ′を除湿対象空気として処理域１１に位置する除湿ロータ部分に通過させることで、そのロータ部分の保持吸湿剤により炉内換気用外気ＯＡ′を除湿する。
【００３６】
一方、再生域１２では、乾燥炉１から排出した高温高湿空気ＲＡを再生用空気として再生域１２に通過させることで、先の処理域１１での炉内換気用外気ＯＡ′の除湿により水分捕集した状態で再生域１２に移行した除湿ロータ部分を次の処理域１１での除湿に備えて高温高湿空気ＲＡにより再生し、これにより、除湿ロータ１３の回転に伴い処理域１１において乾燥炉１に供給する炉内換気用外気ＯＡ′を連続的に除湿する。
【００３７】
排気路８には、乾燥炉１から排出した高温高湿空気ＲＡを再生域１２に対して迂回させる排気側バイパス路１４を設けてあり、これに対し、排気路８における再生域１２の出口近傍箇所及び排気側バイパス路１４には、再生用空気として再生域１２に通過させる高温高湿空気ＲＡと排気側バイパス路１４に通過させて再生域１２を迂回させる高温高湿空気ＲＡとの分流比Ｋｙを調整する分流比調整手段としての分流比調整用のモータダンパＶ１，Ｖ２を装備してある。
【００３８】
なお、本例では、〔分流比Ｋｙ＝再生域１２に通過させる高温高湿空気ＲＡの風量／排気側バイパス路１４に通過させる高温高湿空気ＲＡの風量〕とする。
【００３９】
また同様に、給気路５には外気ＯＡを処理域１１に対して迂回させる給気側バイパス路１５を設けてあり、これに対し、給気路５における処理域１１の出口近傍箇所及び給気側バイパス路１５には、除湿対象空気として処理域１１に通過させる炉内換気用外気ＯＡ′と給気側バイパス路１５に通過させて処理域１１を迂回させる炉内換気用外気ＯＡ′との分流比Ｋｚを調整するモータダンパＶ３，Ｖ４を装備してある。
【００４０】
なお、本例では、給気側のモータダンパＶ３，Ｖ４は夫々、所定の固定開度（例えばＶ３：全開、Ｖ４：全閉）にしておくものとする。
【００４１】
給気路５における処理域１１よりも上流側の部分と、排気路８における再生域１２よりも下流側の部分とは混合路１６により接続してあり、この混合路１６は給気ファン７及び排気ファン９とともに、外部から給気路５に導入する外気ＯＡに対して再生域１２を通過した高温高湿空気ＲＡの一部ないし全部を混合して加湿及び予熱した状態を混合外気ＯＡ′を生成する混合手段を構成する。
【００４２】
また、給気路５における混合路１６の接続箇所よりも上流側の部分、排気路８における混合路１６の接続箇所よりも下流側の部分、並びに、混合路１６には、給気路５における混合路１６の接続箇所において混合する導入外気ＯＡと高温高湿空気ＲＡとの混合比Ｋｘを調整する混合比調整手段としての混合比調整用のモータダンパＶｓ，Ｖｒ，Ｖｍを装備してある。
【００４３】
なお、本例では、〔混合比Ｋｘ＝混合路１６を通じて導入外気ＯＡに混合する高温高湿空気ＲＡの風量／導入外気ＯＡの風量〕とする。
【００４４】
給気路５には、炉内換気用の外気として乾燥炉１に送る上記混合外気ＯＡ′の絶対湿度ｘｓ（本例では露点温度）、温度ｔｓ、風量ｑｓを検出する湿度センサ１７と給気側の温度センサ１８及び風量センサ１９を装備してある。
【００４５】
また、排気路８には、再生用空気として乾燥炉１から再生域１２に送る高温高湿空気ＲＡの温度ｔｒ、風量ｑｒを検出する排気側の温度センサ２０及び風量センサ２１を装備してある。
【００４６】
この乾燥炉設備には、上記した各センサの検出情報に基づいて給気ファン７、排気ファン９並びに各モータダンパＶを操作する制御手段としての運転制御器２２を装備してあり、この運転制御器２２は基本制御として次の給気風量制御及び排気風量制御を実行する構成にしてある。
【００４７】
（イ）給気風量制御
給気側風量センサ１９の検出風量ｑｓに基づき給気ファン７の回転数をインバータ制御することで、炉内換気用の外気として乾燥炉１に供給する混合外気ＯＡ′（即ち、前記混合路１６により導く高温高湿空気ＲＡを導入外気ＯＡに混合した混合空気）の風量ｑｓを設定給気風量ｑｓｓに調整する。
【００４８】
（ロ）排気風量制御
排気側風量センサ２１の検出風量ｑｒに基づき排気ファン９の回転数をインバータ制御することで、排気路８を通じて乾燥炉１から排出する高温高湿空気ＲＡの風量ｑｒを設定排気風量ｑｒｒ（≒ｑｓｓ）に調整する。
【００４９】
また、運転制御器２２は、これら給気風量制御及び排気風量制御の実行下において、付与される切り換え指令に応じ、次の給気湿度制御又は給気温度制御を択一的に実行する構成にしてある。
【００５０】
（ハ）給気湿度制御
ロータ式除湿装置１０の運転下において、湿度センサ１７の検出湿度ｘｓに基づき混合比調整用モータダンパＶｓ，Ｖｒ，Ｖｍの開度を図２に示す如き設定相関ラインＬａ，Ｌｂに従って調整することで前記混合比Ｋｘを調整して、乾燥炉１に供給する混合外気ＯＡ′の絶対湿度ｘｓを設定給気湿度ｘｓｓ（例えば、ｘｓｓ＝１２ｇ／ｋｇ）に調整する。
【００５１】
即ち、湿度センサ１７の検出湿度ｘｓが低くなるほど、モータダンパＶｓ，Ｖｒの開度を減少させるとともに、これに背反させてモータダンパＶｍの開度を増大させることで、導入外気ＯＡと高温高湿空気ＲＡとの混合における混合比Ｋｘを増大させ、これにより、炉内換気用外気として乾燥炉１に供給する混合外気ＯＡ′の絶対湿度ｘｓ（露点温度ｔｄ）を増大側に調整するとともに、上記混合による予熱での混合外気ＯＡ′の予熱度を増大させて乾燥炉１に供給する混合外気ＯＡ′の温度ｔｓも上昇側に調整する。
【００５２】
また逆に、湿度センサ１７の検出湿度ｘｓが高くなるほど、モータダンパＶｓ，Ｖｒの開度を増大させるとともに、これに背反させてモータダンパＶｍの開度を減少させることで、導入外気ＯＡと高温高湿空気ＲＡとの混合における混合比Ｋｘを低下させ、これにより、炉内換気用外気として乾燥炉１に供給する混合外気ＯＡ′の絶対湿度ｘｓを低下側に調整するとともに、上記混合による予熱での混合外気ＯＡ′の予熱度を低下させて乾燥炉１に供給する混合外気ＯＡ′の温度ｔｓも低下側に調整する。
【００５３】
つまり、冬期などにおいて導入外気ＯＡが低温低湿で湿度センサ１７の検出湿度ｘｓが低下傾向にある場合には、上記混合比Ｋｘを増大側に調整することで、処理域１１での除湿量に対し相対的に上記混合による加湿での混合外気ＯＡの加湿度を増大させて、乾燥炉１に供給する混合外気ＯＡ′の絶対湿度ｘｓ（露点温度ｔｄ）を導入外気ＯＡに比べて高くする。
【００５４】
一方、夏期などにおいて導入外気ＯＡが高温高湿で湿度センサ１７の検出湿度ｘｓが上昇傾向にある場合には、上記混合比Ｋｘを減少側に調整することで、処理域１１での除湿量に対し相対的に上記混合による加湿での混合外気ＯＡ′の加湿度を低下させて、乾燥炉１に供給する混合外気ＯＡ′の絶対湿度ｘｓ（露点温度ｔｄ）を導入外気ＯＡに比べて低くする。
【００５５】
そして、このように混合比Ｋｘを調整することで、導入外気ＯＡの絶対湿度変化にかかわらず設定給気湿度ｘｓｓの低湿混合外気ＯＡ′を乾燥炉１に対して安定的に供給し、これにより、乾燥炉１において処理物Ｗを効率的に乾燥処理するとともに、導入外気ＯＡの絶対湿度変化にかかわらず処理物Ｗの乾燥品質を高く安定的に保つ。
【００５６】
また、年間を通じて、上記混合により予熱し、さらに処理域１１の通過に伴い除湿ロータ１３の付随的な熱交換機能により追加予熱した混合外気ＯＡ′を炉内換気用外気として乾燥炉１に供給することで、炉内加熱手段としてのヒータ４に要求される加熱量も効果的に低減する。
【００５７】
（ニ）給気温度制御
ロータ式除湿装置１０の運転下において、給気側温度センサ１８の検出温度ｔｓに基づき混合比調整用モータダンパＶｓ，Ｖｒ，Ｖｍの開度及び分流比調整用ダンパＶ１，Ｖ２の開度を図３に示す如き設定相関ラインＬｃ〜Ｌｆに従って調整することで前記混合比Ｋｘ及び前記分流比Ｋｙを調整して、乾燥炉１に供給する混合外気ＯＡ′の温度ｔｓを設定給気温度ｔｓｓ（例えば、ｔｓｓ＝４０℃）に調整する。
【００５８】
即ち、給気側温度センサ１８の検出温度ｔｓが所定の閾温度ｔｓｍより低い状態（ｔｓ≦ｔｓｍ）では、モータダンパＶ１を１００％開度（全開）にするとともにモータダンパＶ２を０％開度（全閉）にする。
【００５９】
そして、この状態において、給気側温度センサ１８の検出温度ｔｓが低くなるほど、モータダンパＶｓ，Ｖｒの開度を減少させるとともに、これに背反させてモータダンパＶｍの開度を増大させることで前記混合比Ｋｘを増大させ、これにより、前記混合による予熱での混合外気ＯＡ′の予熱度を増大させて乾燥炉１に供給する混合外気ＯＡ′の温度ｔｓを上昇側に調整する。
【００６０】
また逆に、給気側温度センサ１８の検出温度ｔｓが高くなるほど、モータダンパＶｓ，Ｖｒの開度を増大させるとともに、これに背反させてモータダンパＶｍの開度を減少させることで前記混合比Ｋｘを減少させ、これにより前記混合による予熱での混合外気ＯＡ′の予熱度を低下させて乾燥炉１に供給する混合外気ＯＡ′の温度ｔｓを低下側に調整する。
【００６１】
一方、給気側温度センサ１８の検出温度ｔｓが所定の閾温度ｔｓｍより高い状態（ｔｓ＞ｔｓｍ）では、モータダンパＶｓ，Ｖｒを１００％開度（全開）にするとともに、モータダンパＶｍを０％開度（全閉）にする。
【００６２】
そして、この状態において、給気側温度センサ１８の検出温度ｔｓが低くなるほど、モータダンパＶ２の開度を減少させるとともに、これに背反させてモータダンパＶ１の開度を増大させることで前記分流比Ｋｙを増大させ、これにより、処理域１１の通過に伴う除湿ロータ１３の回転による付随的な熱交換機能による混合外気ＯＡ′の追加予熱での予熱量を増大させて乾燥炉１に供給する混合外気ＯＡ′の温度ｔｓを上昇側に調整する。
【００６３】
また逆に、給気側温度センサ１８の検出温度ｔｓが高くなるほど、モータダンパＶ２の開度を増大させるとともに、これに背反させてモータダンパＶ１の開度を減少させることで前記分流比Ｋｙを減少させ、これにより、処理域１１の通過に伴う除湿ロータ１３の回転による付随的な熱交換機能による混合外気ＯＡ′の追加予熱での予熱量を減少させて乾燥炉１に送る混合外気ＯＡの温度ｔｓを低下側に調整する。
【００６４】
つまり、このように混合比Ｋｘ及び分流比Ｋｙを調整することで、導入外気ＯＡの温度変化にかかわらず設定給気温度ｔｓｓの低湿混合外気ＯＡ′を炉内換気用外気として乾燥炉１に安定的に供給する。
【００６５】
〔別実施形態〕
次に本発明の別実施形態を列記する。
【００６６】
前述の実施形態では、ロータ式除湿装置１０の再生域１２を通過した高温高湿空気ＲＡを、導入外気ＯＡに混合するものと、外部に排出するものとの２系統に分流する例を示したが、これに代え、再生域１２を通過した高温高湿空気ＲＡを、導入外気ＯＡに混合するものと、熱交換手段により導入外気ＯＡと顕熱交換させるものと、外部に排出するものとの３系統に分流するようにし、そして、それら３系統の各々における高温高湿空気ＲＡの風量をダンパの開度調整などにより調整するようにしてもよい。
【００６７】
前述の実施形態では、ロータ式除湿装置１０の運転において除湿ロータ１３の回転速度は一定速度に固定する例を示したが、これに代え、外気ＯＡの状態変化に応じて前記混合比Ｋｘや前記分流比Ｋｙを調整することに加えて、除湿ロータ１３の回転速度も外気ＯＡの状態変化に応じて調整するようにしてもよい。
【００６８】
また、前述の実施形態では、ロータ式除湿装置１０の処理域１１に通過させる混合外気ＯＡ′と給気側バイパス風路１５を通過させて処理域１１を迂回させる混合外気ＯＡ′との分流比Ｋｚを一定値に固定しておく例を示したが、これに代え、外気ＯＡの状態変化に応じて前記混合比Ｋｘや前記分流比Ｋｙを調整することに加えて、この給気側の分流比Ｋｚも外気ＯＡの状態変化に応じて調整するようにしてもよい。
【００６９】
給気湿度制御として、湿度センサ１７による検出湿度ｘｓに基づき前記混合比Ｋｘを調整することで乾燥炉１に供給する混合外気ＯＡ′の湿度ｘｓを設定給気湿度ｘｓｓに調整するのに、検出湿度ｘｓと設定給気湿度ｘｓｓとの偏差に応じた一般的なＰＩＤ制御により前記混合比Ｋｘを調整するようにするなど、給気湿度制御における混合比Ｋｘの調整には種々の調整方式を採用することができる。
【００７０】
また同様に、給気温度制御として、給気側温度センサ１８による検出温度ｔｓに基づき前記混合比Ｋｘや前記分流比Ｋｙを調整することで乾燥炉１に供給する混合外気ＯＡ′の温度ｔｓを設定給気温度ｔｓｓに調整するのに、検出温度ｔｓと設定給気温度ｔｓｓとの偏差に応じた一般的なＰＩＤ制御により前記混合比Ｋｘや前記分流比Ｋｙを調整するようにするなど、給気温度制御における混合比Ｋｘの調整や分流比Ｋｙの調整にも種々の調整方式を採用することができる。
【００７１】
乾燥炉１の炉内で乾燥させる処理物Ｗは電極シートに限られるものではなく、炉内の高温化及び低湿化により乾燥し得るものであればどのようなものであってもよい。
【産業上の利用可能性】
【００７２】
本発明による乾燥炉設備は、各種分野における種々の物品・物質の乾燥処理に利用することができる。
【符号の説明】
【００７３】
１                乾燥炉
４                加熱手段
５，５ａ，７      炉内換気用の給気手段
ＲＡ              高温高湿空気
８，８ａ，９      炉内換気用の排気手段
１３              除湿ロータ
１１              処理域
１２              再生域
１０              ロータ式の除湿装置
ＯＡ              導入外気
ＯＡ′            混合外気
１６，７，９      混合手段
Ｋｘ              混合比
Ｖｓ，Ｖｒ，Ｖｍ  混合比調整手段
２２              制御手段
１７              湿度センサ
ｘｓ              検出湿度
ｘｓｓ            設定給気湿度
１８              温度センサ
ｔｓ              検出温度
ｔｓｓ            設定給気温度
１４              バイパス路
Ｋｙ              分流比
Ｖ１，Ｖ２        分流比調整手段
Ｋｚ 給気側の分流比
Ｖ３，Ｖ４ 給気側分流比の調整手段
【図１】
0005862880.tif 000002
【図２】
0005862880.tif 000003
【図３】
0005862880.tif 000004
【図４】
0005862880.tif 000005